(57)【要約】      （修正有）【課題】殺菌に用いた過酸化水素が残留しにくいチャック付き包装袋の無菌製袋充填方法を提供する。【解決手段】開閉自在な雌雄の嵌合部５ｂ、５ａとそれぞれの取付基部からなるチャックテープ５を設けたチャック付き包装袋の無菌製袋充填方法であって、包装袋の表裏のフィルムとなる長尺フィルム１０１を搬送する工程、長尺フィルムを過酸化水素水に浸漬あるいは過酸化水素ガス処理により殺菌する工程、過酸化水素を除去する工程、表裏のフィルムのいずれかの面となる位置に雄型嵌合部５ａと雌型嵌合部５ｂが嵌合した状態のチャックテープ５を取り付ける工程、製袋・充填シールする工程を有する。【選択図】図６
2017043380.tif 000002
【特許請求の範囲】
【請求項１】
開閉自在な雌雄の嵌合部とそれぞれの取付基部からなるチャックテープを設けたチャック付き包装袋の無菌製袋充填方法であって、
前記包装袋の表裏のフィルムとなる長尺フィルムを搬送する工程、長尺フィルムを過酸化水素水に浸漬あるいは過酸化水素ガス処理により殺菌する工程、前記過酸化水素を除去する工程、表裏の前記フィルムのいずれかの面となる位置に雌雄の前記嵌合部が嵌合した状態の前記チャックテープを取り付ける工程、製袋充填シールする工程を有することを特徴とするチャック付き包装袋の無菌製袋充填方法。
【発明の詳細な説明】
【技術分野】
【０００１】
本発明は、チャック付き包装袋の無菌製袋充填方法に関するものである。
【背景技術】
【０００２】
病院で患者さんなどに、栄養剤や医薬品などの流動食を投与するとき、胃や腸に挿入したチューブを通して投与することがある。この場合、あらかじめ、パウチ内に収納されていた内容物に希釈液などを追加して、パウチの下方に設けられた注出口にチューブを連結させて行っている。
【０００３】
このようなパウチでは、希釈液などを追加するための充填口が設けられ、この充填口を再封するためのチャックが設けられているものがある。例えば、特許文献１に記載の「注出口付きパウチ」がある。
【０００４】
この注出口付きパウチは、上部シール部分に外部より飲料水等を注入するための開口部を有し、かつ前記開口部に左右に跨る開閉封自在なチャックが形成され、さらには、パウチを吊り下げるための吊下げ孔がシール部分に形成され、開口部の左右に少なくとも僅かなシール幅を残し、シール部分の一部を切り取った形状からなる切欠き部が形成され、開口部のチャックの上方の位置にシール部分の左右から内方に突出するシール部分が設けられている。
【０００５】
このような、栄養剤や医薬品などの内容物は、保存性や体内に投与されることから、無菌であることが求められる。そのため、一般にパウチは内容物が充填され、密封された後、加圧加熱殺菌されている。
【０００６】
この加圧加熱殺菌では、内容物の中心部まで充分に殺菌するために、外側部分の内容物には過度の熱処理が行われ、その結果、内容物の変質により、栄養分の損失や吸収されにくくなることが考えられる。
【０００７】
このような過度の熱処理を行わずに、充分な無菌性を得る方法として、無菌充填方法がある。これは、内容物は液体殺菌機などで殺菌しておき、殺菌処理した包装材料に、無菌の雰囲気中で無菌的に内容物を充填し密封シールする方法である。
【０００８】
このような無菌充填の場合は、包装材料の殺菌処理には、過酸化水素水へ浸漬させたり、過酸化水素ガスの雰囲気中を通したりして殺菌し、その後、包装材料に残留した過酸化水素を除去している。
【０００９】
しかし、前述のチャックが設けられたパウチでは、雌雄の嵌合部が嵌合した状態のチャックテープを、表裏フィルムとなる長尺のフィルムに取り付けて製袋されるので、この嵌合したチャックテープを取り付けた長尺のフィルムを過酸化水素で殺菌すると、チャックの嵌合部に残留した過酸化水素は除去することが難しく、充分に除去しようとすると除去する時間が長くなり、コスト的な問題が生じる。
【００１０】
公知文献を以下に示す。
【先行技術文献】
【特許文献】
【００１１】
【特許文献１】特許第５００３０３７号公報
【発明の概要】
【発明が解決しようとする課題】
【００１２】
本発明は上記のような事情に鑑みてなされたもので、殺菌に用いた過酸化水素が残留しにくいチャック付き包装袋の無菌製袋充填方法を提供することを課題とする。
【課題を解決するための手段】
【００１３】
本発明は係る課題に鑑みなされたものであり、請求項１の発明は、開閉自在な雌雄の嵌合部とそれぞれの取付基部からなるチャックテープを設けたチャック付き包装袋の無菌製袋充填方法であって、
前記包装袋の表裏のフィルムとなる長尺フィルムを搬送する工程、長尺フィルムを過酸化水素水に浸漬あるいは過酸化水素ガス処理により殺菌する工程、前記過酸化水素を除去する工程、表裏の前記フィルムのいずれかの面となる位置に雌雄の前記嵌合部が嵌合した状態の前記チャックテープを取り付ける工程、製袋充填シールする工程を有することを特徴とするチャック付き包装袋の無菌製袋充填方法である。
【発明の効果】
【００１４】
本発明のチャック付き包装袋の無菌製袋充填方法は、殺菌に用いた過酸化水素が残留しにくく、安全で安心できる。
【図面の簡単な説明】
【００１５】
【図１】本発明のチャック付き包装袋の無菌製袋充填方法の一例で製袋する包装袋を模式的に平面で示した説明図である。
【図２】本発明のチャック付き包装袋の無菌製袋充填方法の一例で製袋する包装袋の開封した状態を模式的に平面で示した説明図である。
【図３】本発明のチャック付き包装袋の無菌製袋充填方法の一例のフローチャートである。
【図４】本発明のチャック付き包装袋の無菌製袋充填方法の一例で長尺フィルムへ口栓の取り付けた状態を模式的に平面で示した説明図である。
【図５】本発明のチャック付き包装袋の無菌製袋充填方法の一例で長尺フィルムへチャックテープの取り付けた状態を模式的に平面で示した説明図である。
【図６】本発明のチャック付き包装袋の無菌製袋充填方法の一例で長尺フィルムへチャックテープの取り付けた状態を模式的に断面で示した説明図である。
【発明を実施するための形態】
【００１６】
以下、本発明を実施するための形態について説明する。
図１は、本発明のチャック付き包装袋の無菌製袋充填方法の一例で製袋する包装袋を模式的に平面で示した説明図である。図２は、本発明のチャック付き包装袋の無菌製袋充填方法の一例で製袋する包装袋の開封した状態を模式的に平面で示した説明図である。
【００１７】
本例で無菌製袋充填する包装袋１００は、図１のように、表裏のフィルムが重ね合わされ、天シール部１、左側シール部２、右側シール部３と地シール部４で囲まれた未シール部からなる内容物収納部が設けられた包装袋である。
【００１８】
天シール部１の右側は広幅シール部１ａになっていて、左側の天シール部１の下方に、チャックテープ５が左右方向に向けて設けられている。チャックテープ５の右側は広幅シール部１ａにまで設けられている。
【００１９】
また、チャックテープ５と天シール部１の間に開封予定線６が想定されていて、開封予定線６の左側の左側シール部２に開封用ノッチ７が設けられている。また、開封予定線６
の右側の広幅シール部１ａには天シール部１の上端より下方に向かう切れ目８が設けられていて、それ以上広幅シール部１ａが切断されず、開封予定線６と切れ目８で囲まれた範囲が切り取れるようになっている。切れ目８には、切れていない繋ぎ部を設けて、うっかり引っ掛けても切断されにくくしている。
【００２０】
図２のように開封予定線６と切れ目８で囲まれた範囲を切り取るとチャックテープ５の嵌合部が露出するので、雌雄の嵌合部を開いて、希釈液などを追加することができる。更に雌雄の嵌合部を嵌合させて再封することができる。
【００２１】
更に、広幅シール部１ａには吊下げられるように貫通孔からなる吊下げ孔９が設けられている。地シール部４は、左右が傾斜して中央部が低くなるように形成されていて、中央部に口栓１０が表裏のフィルムに挟まれ、接着して取り付けられている。
【００２２】
この様になっているので、吊下げ孔９をフックなどに引っ掛けて吊下げると、内容物収納部の流動食などの液体内容物が、口栓１０よりスムーズに流れ出る。
【００２３】
図３は、本発明のチャック付き包装袋の無菌製袋充填方法の一例のフローチャートである。図４は、本発明のチャック付き包装袋の無菌製袋充填方法の一例で長尺フィルムへ口栓の取り付けた状態を模式的に平面で示した説明図である。図５は、本発明のチャック付き包装袋の無菌製袋充填方法の一例で長尺フィルムへチャックテープの取り付けた状態を模式的に平面で示した説明図である。図６は、本発明のチャック付き包装袋の無菌製袋充填方法の一例で長尺フィルムへチャックテープの取り付けた状態を模式的に断面で示した説明図である。
【００２４】
図３に基づき、図４、図５、図６を参照して、本例のチャック付き包装袋の無菌製袋充填方法について説明する。
【００２５】
（ステップＳ１）包装袋１００の表裏のフィルムとなる長尺フィルム１０１を搬送する。また、包装袋の地シール部４の中央部になるように口栓１０を表裏のフィルムのいずれかに接着して取り付ける。本例では裏フィルム側に口栓１０を図４のように取り付ける。尚本例では、表フィルムと裏フィルムは長尺フィルム１０１の幅方向に天シール部１側を中央にして連続している。
【００２６】
（ステップＳ２）口栓１０を図４のように取り付けた状態で長尺フィルム１０１を過酸化水素水に浸漬あるいは過酸化水素ガス処理により殺菌する。
【００２７】
（ステップＳ３）口栓１０を取り付けた長尺フィルム１０１には、過酸化水素が表面に付着したり、表面近傍に浸透したりしているので、無菌エアーや無菌窒素ガスなどの無菌ガスを吹き付けて過酸化水素を除去する。場合によっては、無菌の水で洗ってから、無菌ガスを吹き付けてもよい。
【００２８】
（ステップＳ４）過酸化水素を除去した長尺フィルム１０１の表裏のフィルムのいずれかの所定の位置に、雄型嵌合部５ａと雌型嵌合部５ｂが嵌合したチャックテープ５を図５、図６のように取り付ける。本例では、表フィルムの内面の所定の位置に取り付ける。
【００２９】
チャックテープ５は、あらかじめガンマー線などで殺菌したものを用意し、用いることが好ましい。また、長尺フィルム１０１に取り付ける直前に電子線や紫外線による殺菌を行うことも出来る。
【００３０】
（ステップＳ５）チャックテープ５を取り付けた長尺フィルム１０１の表フィルムと裏
フィルムの内面どうしが対向するように重ね合わせ、内容物の充填口となるシール部を除き、周縁部をシールする。このとき、チャックテープ５の表裏のフィルムに接着していない側も、接着する。また、地シール部４では同様に表裏のフィルムに接着していない側も、口栓１０を挟むようにして接着する。
【００３１】
次に、シールしなかった内容物の充填口から、別途、液体殺菌機などで殺菌された内容物を充填し、充填口をシールし密封する。そして、外形を抜きや断裁により切断し、内容物の充填された包装袋１００を作成する。また、開封用ノッチ７や、切れ目８、吊下げ孔９もこの抜きや断裁時に設ける。
【００３２】
上記のステップＳ１からステップＳ５の工程は、クリーンルームやクリーンブースなどの無菌雰囲気内にて行う。また、過酸化水素による殺菌や過酸化水素の除去は、更に囲われたゾーンを設けて、他の工程に酸化水素が拡散しないようにして行う。
【００３３】
以上のように、長尺フィルムを過酸化水素により殺菌し、過酸化水素を除去した後に、チャックテープを取り付けて、包装袋１００を製造するので、殺菌に用いた過酸化水素が残留しにくい。
【００３４】
このようにして、製造した包装袋１００を使用する場合、内容物が流動食であれば、左側シール部２に設けられた開封用ノッチ７から開封予定線６に沿って切れ目８まで切り開き、図２のように、開封する。そして、露出したチャックテープ５の雌雄の嵌合部を開き、内容物収納部を開ける。
【００３５】
次に、内容物収納部へ希釈液などを追加して、チャックテープ５を閉め、良く混ぜ合わせた後、口栓１０にチューブを接続し、吊下げ孔９をフックに掛けて吊下げ、患者さんなどに流動食をチューブを経由して投与する。
【００３６】
本発明のチャック付き包装袋の無菌製袋充填方法で用いる長尺フィルム１０１には、基材層とシーラント層が積層された積層フィルムが好ましく用いられる。基材層としては、ナイロン、ポリエチレンテレフタレート、ポリプロピレン等の樹脂の２軸延伸、あるいは、１軸延伸、未延伸のフィルムが好ましく使用できる。その場合の厚さは１２〜５０μｍ程度である。
【００３７】
基材層を多層にして設けても良い。多層の基材層としては、外層側から、ポリエチレンテレフタレート／ナイロン、ナイロン／ポリエチレンテレフタレート、ナイロン／無機酸化物蒸着ポリエチレンテレフタレート、ナイロン／エチレンビニル合うコール共重合体、などの積層したフィルムを用いることができる。蒸着に用いる無機酸化物としては、アルミナやシリカなどが好ましく用いられる。
【００３８】
シーラント層には、熱溶融性樹脂が用いられる。低密度ポリエチレンや直鎖状低密度ポリエチレンが好ましく用いられる。また、これらの樹脂やあるいは他の樹脂とからなる多層の共押し出しフィルムを用いても良い。シーラント層の厚さは、内容物の量によって、調整されるものであるが、５０μｍから１８０μｍの厚さが用いられやすい。
【００３９】
基材層とシーラント層の貼り合せ方法、および、多層の基材層の基材どうしの貼り合せ方法は、ドライラミネート法で行うことが好ましい。また、場合によっては、サンドイッチラミネート法で行ってもかまわないし、シーラント層を押出機から製膜しながら押出して、基材層に貼り合わせる押出ラミネート法で行っても良い。
【００４０】
また、絵柄印刷層を基材層の裏面に設けることができる。また、多層の基材層の場合は
、基材どうしの層の間に絵柄印刷層を設けることができる。絵柄印刷層を設ける印刷方式は、特に限定するものではないが、通常、グラビア印刷、あるいは、フレキソ印刷が用いられる。
【００４１】
チャックテープ５には、シーラント層に融着可能な樹脂を用いる。例えば、シーラント層に低密度ポリエチレンや直鎖状低密度ポリエチレンを用いた場合は、チャックテープ５にポリエチレン系樹脂を用いて、押出成型により連続して製造することができる。
【００４２】
以上のように、本発明のチャック付き包装袋の無菌製袋充填方法によれば、過酸化水素が残留しにくく、安全で衛生的なチャック付き包装袋が提供できる。
【符号の説明】
【００４３】
１００・・・包装袋
１０１・・・長尺フィルム
１０２・・・表フィルム
１０３・・・裏フィルム
１・・・天シール部
１ａ・・・広幅シール部
２・・・左側シール部
３・・・右側シール部
４・・・地シール部
５・・・チャックテープ
６・・・開封予定線
７・・・開封用ノッチ
８・・・切れ目
９・・・吊下げ孔
１０・・・口栓
【図１】
2017043380.tif 000003
【図２】
2017043380.tif 000004
【図３】
2017043380.tif 000005
【図４】
2017043380.tif 000006
【図５】
2017043380.tif 000007
【図６】
2017043380.tif 000008